(57)【要約】【課題】手を使わなくとも通話ができる親子電話機の子機を提供する。【解決手段】各機能ブロック、制御装置及び電源を収納した本体部１５を、全体の形状が略Ｕ字形で人の頭部を弾性的に挟むことができる大きさのヘッドグリップ１６の一端に装着し、その本体部の内側にレシーバを配設してこれを片方の耳に当てることができるようにし、更に、本体部１５から口元に延伸した支持パイプ１８の先端にマイクロホン１４を装着する。【選択図】  図３
2004312332.tif 000002
【特許請求の範囲】
【請求項１】
親子電話機の子機であって、親機の第１音声信号送受信部に無線で接続される第２音声信号送受信部と、親機に他の電話機から接続があったときに発生する着信信号を第１及び第２音声信号送受信部を介して受信し、受信信号音及び／又はランプの点滅によって着信を知らせる報知器と、報知器による着信信号の報知及び転送手段による転送に際し、子機を作動状態にセットする起動手段と、マイクロホン及びレシーバに接続され、これらを制御する送受話制御ユニットと、これら各機能ブロックを統括制御する制御装置と、電源とを有するものにおいて、各機能ブロック、制御装置及び電源を収納した本体部を、全体の形状が略Ｕ字形で人の頭部を弾性的に挟むことができる大きさのヘッドグリップの一端に装着し、その本体部の内側にレシーバを配設してこれを片方の耳に当てることができるようにし、更に、本体部から口元に延伸した支持パイプの先端にマイクロホンを装着したことを特徴とする親子電話機の子機。
【発明の詳細な説明】
【０００１】
【発明が属する技術分野】
この発明は、親子電話の子機（以下単に子機という）に係り、特に、手を使わなくても使用できる子機に関する。
【０００２】
【従来の技術】
通常、電話は受話器を片手で持って使用する。或いは、また、或種の携帯電話は、本体をポケットに入れ、イアホンを耳に、マイクロホンを胸のポケットに入れてこれに口述する如くにして使用する。
【０００３】
【発明が解決しようとする課題】
ところで、電話は必ずしも安座をして使用するとは限らず、例えば炊事をしながら友達とお喋りをすることはご婦人の間でしばしば見受けられる光景である。
【０００４】
また、電話で校正をしたり、或いは筆記しながら電話で商談をする場合、受話器を持つ片手を更に他の仕事に用いなければならないことが少なくなく、この場合には、受話器を肩と耳の間に挟んで使用するので、電話が甚だ不便で、疲労し易い、という不都合がある。
【０００５】
また、上記したように胸のポケットにマイクロホンを入れてこれに話し掛けるときには確かに両手を使用できるが、通常口と胸のポケットとの間隔が大きいので、自然に大きな声になってしまい、回りの顰蹙を買い易い、等他の不都合がある。
【０００６】
そこで、この発明は、両手を空けた状態で使用でき、しかも使用し易い親子電話の子機を提供することを目的としている。
【０００７】
【課題を解決するための手段】
上記の目的を達成するため、この発明は、親子電話機の子機であって、親機の第１音声信号送受信部に無線で接続される第２音声信号送受信部と、親機に他の電話機から接続があったときに発生する着信信号を第１及び第２音声信号送受信部を介して受信し、受信信号音及び／又はランプの点滅によって着信を知らせる報知器と、報知器による着信信号の報知及び転送手段による転送に際し、子機を作動状態にセットする起動手段と、マイクロホン及びレシーバに接続され、これらを制御する送受話制御ユニットと、これら各機能ブロックを統括制御する制御装置と、電源とを有するものにおいて、各機能ブロック、制御装置及び電源を収納した本体部を、全体の形状が略Ｕ字形で人の頭部を弾性的に挟むことができる大きさのヘッドグリップの一端に装着し、その本体部の内側にレシーバを配設してこれを片方の耳に当てることができるようにし、更に、本体部から口元に延伸した支持パイプの先端にマイクロホンを装着したことを特徴とする。
【０００８】
【実施例】
以下、この発明の一実施例を図面を参照して説明する。
図１において符号１は親子電話機の親機を、符号２は子機を夫々示し、この発明における親子電話機は、これをブロック図で示すときには、子機に所謂テンキーボードが無い点を除いて従来のものと変わらない。
【０００９】
すなわち、親機１は、キーマトリクスを内蔵したテンキーボード３、表示パネル４を有し、テンキーボード３によって設定された電話番号は制御ブロック５に供給され、この設定された電話番号を交換機に送給し、親機が相手方の電話機に接続されたとき、換言すれば電話が繋がったとき、親機の送受話器を取り上げて子機２から独立して相手方と通話をすることができる。
【００１０】
一方、相手方の電話機から接続があったとき、換言すれば電話が掛かってきたとき、発生する着信信号Ｓを親機の第１音声信号送受信部６及び子機の第２音声信号送受信部７を介して子機２に伝達し、このとき子機の報知器８が作動して受信信号音及び／又はランプの点滅によって着信を知らせる。
【００１１】
通常、親機１の図示しない送受話器を本体２から取り上げるか、或いは子機２の後述する起動手段を作動させるかの動作により、先に作動した親機１或いは子機２にのみ音声信号ＶＳが供給され、何れか一方が通話できる。
【００１２】
また、上述のようにして外部から電話が掛かってきて親機が先に受話器を取ったとき、或いは親機が相手方に電話をして所謂通じた場合、転送手段を介してその接続を子機に切替え、子機から通話をすることができる。
【００１３】
この転送は、例えば、親機の保留釦を押して通話を保留した後、通話を転送する子機を例えば予め設定された番号により指定し、通話を子機に切り替える。
【００１４】
しかして、この発明による親子電話機の子機を次に述べるように構成する。
すなわち、図１に示すように、親機に電話が掛かってきたとき、その第１音声信号送受信部６からの着信信号Ｓを子機２の第２音声信号送受信部７に送給し、この着信信号Ｓにより報知器８を作動させる。
【００１５】
この報知器８の作動によって電話が掛かってきたことを知ったとき、起動手段９によって制御装置１１を作動させ、上記第２音声信号送受信部７及び送受話制御ユニット１２を起動する。
【００１６】
そして、送受話制御ユニット１２を介して、レシーバ１３及びマイクロホン１４を使用して通話を行う。換言すれば、電話を掛ける。
【００１７】
なお、図１において図示は省略するが子機２には電源が内蔵されていることは言うまでもない。
【００１８】
通話が終われは、通常の親子電話機の子機のように、起動手段９の例えば起動釦１７（図２及び図３参照）を押動することにより、子機を待機状態に戻す。
【００１９】
上記のように、本発明による親子電話機の子機の全体的な構成は従来のものと変わるところはないが、その特徴はマイクロホンやレシーバなどの機械的な部分の配置にある。
【００２０】
すなわち、図１に示す機能ブロック、例えば、第２音声信号送受信部７、報知器８、起動手段９、制御装置１１、送受話制御ユニット１２及び電源等をを収納した本体部１５を、図２に示すように、全体の形状が略Ｕ字形で人の頭部を弾性的に挟むことができる大きさのヘッドグリップ１６の一端に装着してある。
【００２１】
このヘッドグリップ１６は例えば金属製の帯状の弾性体、或いは合成樹脂製の帯状の弾性体を略Ｕ字形に成形したもので、これを人の頭部を挟むように装着することにより、頭部に安定的に本体部１５を装着できる。
【００２２】
なお、図２において符号１７は起動手段９の一部をなす起動釦を示し、この起動釦を押すことにより起動手段が作動して子機が待機状態から作動状態に移行するものとする。
【００２３】
また、その本体部１５の内側にレシーバ１３を配設してこれを片方の耳に当てることができるようにしてある。
【００２４】
更にまた、本体部１５から支持パイプ１８が口元まで延伸しており、この支持パイプ１８の先端にマイクロホン１４が装着されている。
【００２５】
なお、図２においては本体部１５に内蔵されていて図示されていないレシーバ１３及び上記マイクロホン１４は、図１に示すように、夫々送受話制御ユニット１２に接続されていることは勿論である。
【００２６】
ちなみに、図２において符号１９はこの発明による親子電話機の子機の充電器を示し、この充電器２の上端に突設されたプラグ１９ａ、１９ａは、充電時本体部１５の下端に設けられた図示しないソケットに差し込まれ、子機の電源の充電を行う。
【００２７】
上記のように構成されたこの発明の一実施例による親子電話機の子機は、使用時、図３に示すようにヘッドグリップ１６により使用する人の頭部を挟むようにして使用する。
【００２８】
図３から明らかなように、ヘッドグリップ１６を介して人の頭部に装着された本体部１５、本体部１５に内蔵されたレシーバ１３及びマイクロホン１４は、人の手を用いなくても自然に本来あるべき位置に固定されるので、子機使用中両手は自由である。
【００２９】
例えば台所で炊事中電話を受けるときには、例えばカップボードの棚に置いてある子機の報知器８が作動して電話が掛かってきたことを知らせるので、本体部１５の起動釦１７を押して起動手段９及び子機２を作動状態にした後、図３に示すようにヘッドグリップ１６を介して子機２を頭部に装着する。
【００３０】
そして、この場合両手は自由になっているから、通話をしながら例えば炊事を続けることができる。
【００３１】
通話が終了したら、本体部の起動釦１７を押せば、親機の受話器を置くと親機が待機状態に戻るように、子機２が待機状態に戻る。
【００３２】
一方、こちら側から相手方に電話を掛けるときには、図３に示すように子機を頭部に装着した後、親機が置かれている場所に赴き、図４に示す親機１のテンキーボード３を用いて相手方の電話番号を設定し、こちら側から電話を掛ける。
【００３３】
相手方が出たら、暫く待つように断った後、親機の転送手段を用いて通話を子機に切り替える。具体的には、例えば、親機の保留釦を２１を押して保留状態にした後、テンキーボード３を用いて子機に割り当てられた番号を押して通話を子機に切り替える。
【００３４】
その後は、親機から離れて台所に行って炊事をしながら、或いは庭に出て庭仕事をしながら通話を続行することができる。
【００３５】
通話が終わったら、上記したと同様にして本体部の起動釦１７を押せば、親機の受話器を置くと親機が待機状態に戻るように、子機２が待機状態に戻る。
【００３６】
【発明の効果】
以上の説明から明らかなように、この発明は、各機能ブロック、制御装置及び電源を収納した本体部を、全体の形状が略Ｕ字形で人の頭部を弾性的に挟むことができる大きさのヘッドグリップの一端に装着し、その本体部の内側にレシーバを配設してこれを片方の耳に当てることができるようにし、更に、本体部から口元に延伸した支持パイプの先端にマイクロホンを装着したので、手を使わなくても通話ができ、上記した炊事や庭仕事の場合は勿論、校正、打ち合わせ、読み合わせ等、あらゆる電話による連絡を伴うビジネスを便利にし、能率を向上させることができる。
【００３７】
また、子機側に電話番号設定用のテンキーボード、番号を２進化信号に変換するキーマトリクス、或いは表示パネルなどを用いないので、構造が簡単になり製造コストを大幅に下げて安価にユーザーに供給することができる、等種々の効果を奏する。
【図面の簡単な説明】
【図１】この発明の一実施例による親子電話機の子機及び親機の構成を示すブロック図。
【図２】この発明の一実施例による親子電話機の子機及び充電器の外観斜視図。
【図３】この発明の一実施例による親子電話機の子機を人の頭部に装着した状態を示す外観斜視図。
【図４】親機の外観斜視図。
【符号の説明】
１  親機
２  子機
３  テンキーボード
４  表示パネル
５  制御ブロック
６  第１音声信号送受信部
７  第２音声信号送受信部
８  報知器
９  起動手段
１１  制御装置
１２  送受話制御ユニット
１３  レシーバ
１４  マイクロホン
１５  本体部
１６  ヘッドグリップ
１７  起動釦
１８  支持パイプ
１９  充電器
２１  保留釦
【図１】
2004312332.tif 000003
【図２】
2004312332.tif 000004
【図３】
2004312332.tif 000005
【図４】
2004312332.tif 000006